(57)【要約】  【課題】  ＩＰ交換機や回線に障害が発生しても、拠点内をバックアップしてＩＰ端末の動作を継続して運用し、例えば拠点内の内線通話を可能にするバックアップ交換機の切替動作シーケンスを提供する。  【解決手段】  バックアップＴＭ―Ｂは、センタのＴＭから「動作可通知（運用系表示）」（疎通確認）を受信できなくなって、「ＴＭの疎通断検出」することになるので、「運用系動作へ切替」を実行する。端末Ｂは、センタのＴＭからの「ライフチェック」を受信できなくなり、「ライフチェックタイムアウト検出」をして「ＴＭからログアウト」した後、「バックアップＴＭ―Ｂをログイン先」として「ログイン」することにより、拠点ＢのバックアップＴＭ―Ｂは、「端末Ｂのログイン」を受け付ける。【選択図】  図１１
2006254108.tif 000002
【特許請求の範囲】
【請求項１】
全てのＩＰ端末を集中して管理する主制御装置、前記主制御装置の制御により、回線を介して前記ＩＰ端末を拠点毎に統括して収容する複数の信号制御装置を備えたＩＰ交換機と、前記ＩＰ交換機と前記拠点との間を接続する前記回線と、前記ＩＰ交換機の故障や前記回線の障害を検出し、前記拠点をバックアップするバックアップ交換機、複数のＩＰ端末を備えた複数の前記拠点と、からなるＩＰ電話システムであって、
前記バックアップ交換機は、待機状態に前記ＩＰ交換機との疎通確認を行い、前記ＩＰ交換機から疎通確認ができない場合には、運用状態に切り替える動作シーケンスを備えたことを特徴とするＩＰ電話システム。
【請求項２】
前記バックアップ交換機は、運用状態で、該当する拠点内の前記ＩＰ端末からのログインを受け付け、拠点内の前記ＩＰ端末相互間の通話を可能にする動作シーケンスを備えたことを特徴とする請求項１記載のＩＰ電話システム。
【請求項３】
前記バックアップ交換機は、運用状態にＩＰ交換機から疎通確認が再開した場合には、待機状態に切り替える動作シーケンスを備えたことを特徴とする請求項２記載のＩＰ電話システム。
【請求項４】
前記ＩＰ端末は、前記ＩＰ交換機または前記バックアップ交換機からのライフチェックを監視し、ライフチェックのタイムアウトを検出して前記ＩＰ交換機または前記バックアップ交換機からログアウトした後、前記バックアップ交換機または前記ＩＰ交換機にログインする動作シーケンスを備えたことを特徴とする請求項１記載のＩＰ電話システム。
【発明の詳細な説明】
【技術分野】
【０００１】
本発明は拠点毎に設置された全てのＩＰ端末を集中して管理・運用するＩＰ電話システムに係り、特に、ＩＰ交換機を構成する主制御装置の２重化や信号制御装置のＮ＋１冗長化、回線の２重化を図り、各拠点にバックアップ交換機を設けることによって、装置故障や回線障害に対してバックアップを行い、システム運用の信頼性を向上させるＩＰ電話システムに関する。
【背景技術】
【０００２】
従来の交換機において、ＬＡＮなどの回線（ネットワーク）を介してＩＰ端末の呼制御を行うＩＰ呼制御部（ＳＣ部）と、ＩＰ呼制御部（ＳＣ部）のデータ交換制御を行う交換制御部（ＣＣ部）を備え、ＨＵＢを介してＩＰ端末を収容したＩＰ交換機（ＴＭ部）が開示されている（例えば、特許文献１）。
【０００３】
このように構成されたＩＰ交換機（ＴＭ部）は、収容するＩＰ端末の接続処理能力（ＩＰ端末台数）に応じてＩＰ呼制御部（ＳＣ部）を複数搭載することも可能となっている。
【特許文献１】特開２００４−２２９１１２号公報
【発明の開示】
【発明が解決しようとする課題】
【０００４】
従来のＩＰ交換機（ＴＭ）は、ＩＰ呼制御部（ＳＣ部）に収容される多数のＩＰ端末を１つの拠点と想定しても、ＩＰ交換機（ＴＭ）の故障や回線の障害が発生すると、拠点内の全てのＩＰ端末が運用できなくなる虞があり、拠点内を地域の支社や営業所にした場合には、営業活動に支障をもたらす課題がある。
【０００５】
この発明はこのような課題を解決するためになされたもので、その目的はＩＰ交換機や回線に障害が発生しても、拠点内をバックアップしてＩＰ端末の動作を継続して運用し、例えば拠点内の内線通話を可能にするバックアップ交換機の切替動作シーケンスを提供することにある。
【課題を解決するための手段】
【０００６】
前記課題を解決するためこの発明に係るＩＰ電話システムは、全てのＩＰ端末を集中して管理する主制御装置、主制御装置の制御により、回線を介してＩＰ端末を拠点毎に統括して収容する複数の信号制御装置を備えたＩＰ交換機と、ＩＰ交換機と拠点との間を接続する回線と、ＩＰ交換機の故障や回線の障害を検出し、拠点をバックアップするバックアップ交換機、複数のＩＰ端末を備えた複数の拠点と、からなるＩＰ電話システムであって、バックアップ交換機は、待機状態にＩＰ交換機との疎通確認を行い、ＩＰ交換機から疎通確認ができない場合には、運用状態に切り替える動作シーケンスを備えたことを特徴とするＩＰ電話システム。
【０００７】
この発明に係るバックアップ交換機は、待機状態にＩＰ交換機との疎通確認を行い、ＩＰ交換機から疎通確認ができない場合には、運用状態に切り替える動作シーケンスを備えたので、センタのＩＰ交換機の故障および回線の障害が発生すると、待機状態から運用状態に切替え、拠点内のＩＰ端末の内線通話をバックアップすることができる。
【０００８】
また、この発明に係るバックアップ交換機は、運用状態で、該当する拠点内のＩＰ端末からのログインを受け付け、拠点内のＩＰ端末相互間の通話を可能にする動作シーケンスを備えたことを特徴とする。
【０００９】
この発明に係るバックアップ交換機は、運用状態で、該当する拠点内のＩＰ端末からのログインを受け付け、拠点内のＩＰ端末相互間の通話を可能にする動作シーケンスを備えたので、センタのＩＰ交換機の故障ならびに回線の障害という最悪なケースでも、拠点内の内線通話サービスを提供することができる。
【００１０】
さらに、この発明に係るバックアップ交換機は、運用状態にＩＰ交換機から疎通確認が再開した場合には、待機状態に切り替える動作シーケンスを備えたことを特徴とする。
【００１１】
この発明に係るバックアップ交換機は、運用状態にＩＰ交換機から疎通確認が再開した場合には、待機状態に切り替える動作シーケンスを備えたので、センタのＩＰ交換機の故障ならびに回線の障害が復旧すると、待機状態に戻ることができる。
【００１２】
また、この発明に係るＩＰ端末は、ＩＰ交換機または前記バックアップ交換機からのライフチェックを監視し、ライフチェックのタイムアウトを検出してＩＰ交換機またはバックアップ交換機からログアウトした後、バックアップ交換機またはＩＰ交換機にログインする動作シーケンスを備えたことを特徴とする。
【００１３】
この発明に係るＩＰ端末は、ＩＰ交換機または前記バックアップ交換機からのライフチェックを監視し、ライフチェックのタイムアウトを検出してＩＰ交換機またはバックアップ交換機からログアウトした後、バックアップ交換機またはＩＰ交換機にログインする動作シーケンスを備えたので、システム環境に応じてＩＰ交換機またはバックアップ交換機に接続することができる。
【発明の効果】
【００１４】
この発明に係るバックアップ交換機は、待機状態にＩＰ交換機との疎通確認を行い、ＩＰ交換機から疎通確認ができない場合には、運用状態に切り替える動作シーケンスを備えたので、センタのＩＰ交換機の故障および回線の障害が発生すると、待機状態から運用状態に切替え、拠点内のＩＰ端末の内線通話をバックアップすることができ、拠点内のＩＰ端末の内線通話サービスを確保することができる。
【００１５】
また、この発明に係るバックアップ交換機は、運用状態で、該当する拠点内のＩＰ端末からのログインを受け付け、拠点内のＩＰ端末相互間の通話を可能にする動作シーケンスを備えたので、センタのＩＰ交換機の故障ならびに回線の障害という最悪なケースでも、拠点内の内線通話サービスを提供することができ、利便性をアピールすることができる。
【００１６】
さらに、この発明に係るバックアップ交換機は、運用状態にＩＰ交換機から疎通確認が再開した場合には、待機状態に切り替える動作シーケンスを備えたので、センタのＩＰ交換機の故障ならびに回線の障害が復旧すると、待機状態に戻ることができ、システムのサービスを可能にすることができる。
【００１７】
また、この発明に係るＩＰ端末は、ＩＰ交換機または前記バックアップ交換機からのライフチェックを監視し、ライフチェックのタイムアウトを検出してＩＰ交換機またはバックアップ交換機からログアウトした後、バックアップ交換機またはＩＰ交換機にログインする動作シーケンスを備えたので、システム環境に応じてＩＰ交換機またはバックアップ交換機に接続することができ、システム内の通話または拠点内の内線通話を提供することができる。
【発明を実施するための最良の形態】
【００１８】
以下、この発明の実施の形態を添付図面に基づいて説明する。なお、本発明のＩＰ電話システムは、大規模の事業体、例えばメガバンクなどのように、本社や本店があり、各地に支社や支店が存在し、本社をセンタとしてＩＰ交換機を設置し、各地を多くの拠点として、それぞれの拠点に複数のＩＰ端末を設置して営業活動を行うような場合に適用し、全ての拠点に設置された全てのＩＰ端末をＷＡＮ（Wide Area LAN）などの回線（ネットワーク）を介してセンタのＩＰ交換機に収容し、センタのＩＰ交換機で全てのＩＰ端末の呼制御を実行することにより、全てのＩＰ端末相互間の通話を集中的に管理するものである。
【００１９】
また、本発明のＩＰ電話システムは、システム内の装置や回線（ネットワーク）などの冗長化や２重化を図って、故障や障害に対してバックアップすることにより、システムの信頼性を高めるものである。
【００２０】
図１はこの発明に係るIＰ電話システムの一実施の形態ブロック構成図である。図１において、IＰ電話システム１は、センタに設置されるIＰ交換機２と、拠点Ａ１〜拠点Ｈｎの拠点毎に設置されるバックアップ交換機（Ｂ―ＴＭ）６および複数のIＰ端末Ｅｑｉと、センタのＩＰ交換機２と全ての拠点Ａ１〜Ｈｎを接続するＷＡＮなどの回線（ネットワーク）５から構築する。
【００２１】
ＩＰ交換機（ＴＭ）２は、ＩＰ交換機（ＴＭ）２の全体動作を制御する主制御装置（ＣＣ）３と、主制御装置（ＣＣ）３の制御により、回線（ネットワーク）５を介して拠点Ａ１〜Ｈｎ毎に設置された複数のＩＰ端末Ｅｑｉを収容し、呼制御を行う複数の信号制御装置４とを備える。
【００２２】
信号制御装置４は、主制御装置（ＣＣ）３と制御バスＢＵを介して接続されるＳＣ−０〜ＳＣ−７およびＳＣ−Ｎ（バックアップＳＣ）で構成し、ＳＣ−０〜ＳＣ−７は、回線（ネットワーク）５を介して、それぞれ拠点Ａ１〜拠点ＨｎのＩＰ端末Ｅｑｉを収容し、ＩＰ端末Ｅｑｉの呼制御を実行する。また、ＳＣ−Ｎ（バックアップＳＣ）は、ＳＣ−０〜ＳＣ−７が正常時には、拠点Ａ１〜拠点ＨｎのいかなるＩＰ端末Ｅｑｉも収容せず、ＳＣ−０〜ＳＣ−７の１台が故障した場合には、故障したＳＣ−０〜ＳＣ−７をバックアップし、該当する拠点Ａ１〜拠点ＨｎのＩＰ端末Ｅｑｉを収容する。
【００２３】
拠点Ａは、拠点Ａ１〜拠点Ａｎから構成し、拠点Ｂは、拠点Ｂ１〜拠点Ｂｎから構成し、…、拠点Ｈは、拠点Ｈ１〜拠点Ｈｎから構成し、拠点Ａ１〜拠点Ｈｎは、それぞれ中継ネットワークを介して回線（ネットワーク）５に接続する。
【００２４】
拠点Ａ１〜拠点ＨｎのＩＰ端末Ｅｑｉは、起動時に、それぞれＳＣ−０〜ＳＣ−７にログインすることにより、ＳＣ−０〜ＳＣ−７に収容されることになる。
【００２５】
バックアップ交換機（Ｂ―ＴＭ）６は、拠点Ａ１〜拠点ＨｎのＬＡＮ（Local Area Network）に接続し、拠点Ａ１〜拠点Ｈｎの各々に対応してバックアップ交換機（Ｂ―ＴＭ）６Ａ１、バックアップ交換機（Ｂ―ＴＭ）６Ａ２，…，バックアップ交換機（Ｂ―ＴＭ）６Ｈｎを備え、ＩＰ交換機２が通常に運用している時には、待機状態（待機系）にあり、ＩＰ端末Ｅｑｉの呼制御は行わない。
【００２６】
また、バックアップ交換機（Ｂ―ＴＭ）６Ａ１、バックアップ交換機（Ｂ―ＴＭ）６Ａ２，…，バックアップ交換機（Ｂ―ＴＭ）６Ｈｎは、それぞれ接続される中継ネットワークに障害が発生した時には、運用状態（運用系）となり、該当するＳＣ−０〜ＳＣ−７ｎに代わり、ＩＰ端末Ｅｑｉからのログインを受け付けてＩＰ端末Ｅｑｉの呼制御を行い、拠点Ａ１〜拠点Ｈｎ内のＩＰ端末Ｅｑｉ相互間の通話を可能にする。
【００２７】
なお、ＩＰ電話システム１は、例えばＳＣ−０〜ＳＣ−７の８台で構成し、各ＳＣ−０〜ＳＣ−７がそれぞれ１６拠点をカバーして、１台のＳＣがそれぞれ１６拠点合計で２０００台のＩＰ端末Ｅｑｉを収容可能とし、１システムでは、１６０００台のＩＰ端末Ｅｑｉを収容可能とする大規模なシステムを想定する。
【００２８】
図２はこの発明に係る主制御装置と信号制御装置の実施の形態接続図である。図２において、主制御装置（ＣＣ）３は、装置を２重化構成とし、運用系（ＡＣＴ系）の主制御装置３ａと待機系（ＳＢＹ系）の主制御装置３ｂを備える。
【００２９】
運用系（ＡＣＴ系）の主制御装置３ａは、制御バスＢＵ―ａを介して信号制御装置４を構成するＳＣ−０〜ＳＣ−７およびＳＣ―Ｎ（バックアップＳＣ）と接続し、待機系（ＳＢＹ系）の主制御装置３ｂは、制御バスＢＵ―ｂを介してＳＣ−０〜ＳＣ−７およびＳＣ―Ｎ（バックアップＳＣ）と接続する。
【００３０】
ＳＣ−０〜ＳＣ−７およびバックアップＳＣは、制御バスＢＵ―ａおよび制御バスＢＵ―の双方に接続し、制御バスＢＵ―ａを介して運用系（ＡＣＴ系）の主制御装置３ａに接続し、制御バスＢＵ―ｂを介して待機系（ＳＢＹ系）の主制御装置３ｂに接続する。
【００３１】
運用系（ＡＣＴ系）の主制御装置３ａは、ＣＰＵ―ａおよびＲＡＭ―ａを備え、ＳＣ−０〜ＳＣ−７およびＳＣ―Ｎ（バックアップＳＣ）のＩＰアドレスａ〜ＩＰアドレスｈおよびＩＰアドレスｉや局データなど呼処理情報を記憶し、制御バスＢＵ―ａを介してＳＣ−０〜ＳＣ−７およびＳＣ―Ｎ（バックアップＳＣ）を制御する。
【００３２】
待機系（ＳＢＹ系）の主制御装置３ｂは、ＣＰＵ―ｂおよびＲＡＭ―ｂを備え、運用系（ＡＣＴ系）の主制御装置３ａが運用時に、常時、運用系（ＡＣＴ系）の主制御装置３ａを監視し、主制御装置３ａの故障を検出した際には、主制御装置３ａに代って切り替わり、待機系（ＳＢＹ系）から運用系（ＡＣＴ系）となって制御バスＢＵ―ｂを介してＳＣ−０〜ＳＣ−７およびＳＣ―Ｎ（バックアップＳＣ）を制御する。
【００３３】
運用系（ＡＣＴ系）の主制御装置３ａは、呼制御情報をＲＡＭ―ａに記憶するとともに、同時に待機系（ＳＢＹ系）の主制御装置３ｂのＲＡＭ―ｂにも記憶させ、主制御装置３ａの故障時に、主制御装置３ｂへの切替えを迅速に移行させる。
【００３４】
主制御装置（ＣＣ）３は、信号制御装置４を構成するＳＣ−０〜ＳＣ−７およびＳＣ−７（バックアップＳＣ）にＩＰアドレスａ〜ＩＰアドレスｈおよびＩＰアドレスｉを設定する。例えば、ＳＣ−０にＩＰアドレスａ、ＳＣ−１にＩＰアドレスｂ、ＳＣ−２にＩＰアドレスｃ、ＳＣ−３にＩＰアドレスｄ、ＳＣ−４にＩＰアドレスｅ、ＳＣ−５にＩＰアドレスｆ、ＳＣ−６にＩＰアドレスｇ、ＳＣ−７にＩＰアドレスｈ、ＳＣ−Ｎ（バックアップＳＣ）にＩＰアドレスｉを初期設定する。なお、ＩＰアドレスａ〜ＩＰアドレスｈは、ＳＣ−０〜ＳＣ−７およびＳＣ−７（バックアップＳＣ）に任意に設定することができる。
【００３５】
また、主制御装置（ＣＣ）３は、ＳＣ−０〜ＳＣ−７およびＳＣ−Ｎ（バックアップＳＣ）と、常時、疎通確認を行い、例えばＳＣ−０の疎通確認ができない場合に、ＳＣ−０を故障と判断する。
【００３６】
さらに、主制御装置（ＣＣ）３は、ＳＣ−０を故障と判断すると、ＳＣ−Ｎ（バックアップＳＣ）のＩＰアドレスｉを故障が発生したＳＣ−０のＩＰアドレスａに変更し、故障が発生したＳＣ−０をＳＣ−Ｎ（バックアップＳＣ）に切り替える制御を実行する。
【００３７】
信号制御装置（ＳＣ）４は、ＳＣ−０〜ＳＣ−７およびＳＣ−７（バックアップＳＣ）で構成し、それぞれ主制御装置（ＣＣ）３とのインタフェースであるＣＣＩ／Ｆ、制御部（ＣＰＵ）、故障を検出して通知する保守部、回線（ネットワーク）５とのインタフェースであるＬＡＮポートなどを備える。
【００３８】
信号制御装置（ＳＣ）４のＳＣ−０〜ＳＣ−７は、主制御装置（ＣＣ）３からＩＰアドレスａ〜ＩＰアドレスｈを設定されて運用系を構成し、拠点Ａ〜拠点Ｈ毎のＩＰ端末ＥｑｉからのＩＰアドレスａ〜ＩＰアドレスｈに基づいたログイン宛て先となり、ログインされた拠点Ａ〜拠点Ｈ毎のＩＰ端末ＥｑｉのＩＰアドレスを受け付けることにより、それぞれ拠点Ａ〜拠点Ｈ毎のＩＰ端末Ｅｑｉを収容する。
【００３９】
信号制御装置（ＳＣ）４のＳＣ−Ｎ（バックアップＳＣ）は、主制御装置（ＣＣ）３からＩＰアドレスｉを設定されて待機系（バックアップ系）を構成し、拠点Ａ〜拠点Ｈ毎のＩＰ端末Ｅｑｉを何ら収容しない。
【００４０】
ＳＣ−０〜ＳＣ−７の１台（例えば、ＳＣ−０）に故障が発生すると、主制御装置（ＣＣ）３の制御により、ＳＣ−Ｎ（バックアップＳＣ）のＩＰアドレスｉがＳＣ−０のＩＰアドレスａに変更された後、ＳＣ−Ｎ（バックアップＳＣ）は、ＳＣ−０として待機系から運用系に切り替わる。
【００４１】
この時、ＳＣ−Ｎ（バックアップＳＣ）は、ＳＣ−０にログインされたＩＰ端末ＥｑｉのＩＰアドレスも引き継いで、拠点ＡのＩＰ端末Ｅｑｉを収容して運用し、拠点ＡのＩＰ端末Ｅｑｉの呼制御を継続して実行することになる。
【００４２】
一方、故障を発生したＳＣ−０は、修復後に、主制御装置（ＣＣ）３からの制御により、ＩＰアドレスｉが設定されてＳＣ−Ｎ（バックアップＳＣ）となって予備系に回り、次回に、運用系のＳＣ−０〜ＳＣ−７の故障に対応する。
【００４３】
なお、故障を発生したＳＣ−０は、修復後に、主制御装置（ＣＣ）３からの制御により、運用中のＳＣ−０（前のバックアップＳＣ）からＩＰアドレスａと拠点ＡのＩＰ端末ＥｑｉのＩＰアドレスを引き継いで、再度ＳＣ−０となって運用を開始し、運用中のＳＣ−０（前のバックアップＳＣ）にＩＰアドレスｉを設定してＳＣ−Ｎ（バックアップＳＣ）に戻すこともできる。
【００４４】
図３はこの発明に係る信号制御装置の切替えの一実施の形態説明図である。図３において、信号制御装置４を構成するＳＣ−０〜ＳＣ−７は、それぞれＩＰアドレスａ〜ＩＰアドレスｈで運用中であり、回線（ネットワーク）５を介して拠点Ａ〜拠点ＨのＩＰ端末Ｅｑｉを収容し、ＩＰ端末Ｅｑｉの呼制御を行っている。
【００４５】
一方、ＳＣ−Ｎ（バックアップＳＣ）は、ＩＰアドレスｉで待機中であるが、拠点Ａ〜拠点Ｈのいずれか１拠点のＩＰ端末Ｅｑｉを収容可能な状態にある。
【００４６】
ＳＣ−０〜ＳＣ−７およびＳＣ−７（バックアップＳＣ）は、主制御装置（ＣＣ）３との相互間で正常稼働監視（破線表示）の疎通確認を行っている。
【００４７】
運用中のＳＣ−０〜ＳＣ−７の１台（例えば、ＳＣ−０）に障害が発生した場合、主制御装置（ＣＣ）３とＳＣ−０との間の疎通確認が取れなくなり、主制御装置（ＣＣ）３は、ＳＣ−０の故障を検出すると、ＳＣ−Ｎ（バックアップＳＣ）のＩＰアドレスｉを故障が発生したＳＣ−０のＩＰアドレスａに変更し、故障が発生したＳＣ−０とＳＣ−Ｎ（バックアップＳＣ）を切り替えて、ＳＣ−Ｎ（バックアップＳＣ）をＳＣ−０として運用させる。
【００４８】
なお、主制御装置（ＣＣ）３は、ＳＣ−０とＳＣ−Ｎ（バックアップＳＣ）を切り替える場合、ＳＣ−Ｎ（バックアップＳＣ）の運用に必要な最低限のイニシャル条件をチェック（リブート）するのみで、切替えを実行するため、切替え時間を短縮してＳＣ−０とＳＣ−Ｎ（バックアップＳＣ）の切替えに伴う影響を最小限にし、ＳＣ−０の運用を継続する。
【００４９】
図４はこの発明に係る信号制御装置の一実施の形態疎通確認動作シーケンス図である。図４において、信号制御装置（ＳＣ）４の運用中のＳＣ−０〜ＳＣ−７は、正常状態にある場合を示す。主制御装置（ＣＣ）３とＳＣ−０〜ＳＣ−７およびＳＣ−Ｎ（バックアップＳＣ）との間で疎通確認を行う。
【００５０】
主制御装置（ＣＣ）３は、通信テストをＳＣ−０〜ＳＣ−７およびＳＣ−Ｎ（バックアップＳＣ）に送信し、ＳＣ−０〜ＳＣ−７およびＳＣ−Ｎ（バックアップＳＣ）から送信されてくる通信テスト結果を受信することにより、ＳＣ−０〜ＳＣ−７およびＳＣ−Ｎ（バックアップＳＣ）に故障が発生していないことを判定する。
【００５１】
図５はこの発明に係る信号制御装置の別実施の形態疎通確認動作シーケンス図である。図５において、運用系の信号制御装置４（ＳＣ−０）に故障（障害）が発生した場合を示す。この状態では、主制御装置（ＣＣ）３からＳＣ−０に、何度通信テストを送信しても、主制御装置（ＣＣ）３は、ＳＣ−０から通信テスト結果を受信することができなく、主制御装置（ＣＣ）３とＳＣ−０間の疎通確認が無くなる。
【００５２】
主制御装置（ＣＣ）３は、ＳＣ−０が故障（障害）と判定し、ＳＣ−Ｎ（バックアップＳＣ）を障害発生のＳＣ−０と切り替える。ＳＣ−Ｎ（バックアップＳＣ）は、リブート（再起動）し、主制御装置（ＣＣ）３に対してＳＣイニシャル要求を送信する。
【００５３】
主制御装置（ＣＣ）３は、ＳＣ−Ｎ（バックアップＳＣ）からのＳＣイニシャル要求を受信すると、最低限の初期設定情報をＳＣ−Ｎ（バックアップＳＣ）に送信し、最短期間でＳＣ−Ｎ（バックアップＳＣ）をＳＣ−０として運用開始させる。
【００５４】
図６はこの発明に係る信号制御装置の一実施の形態切替動作シーケンス図である。図６において、ＳＣ−０に障害が発生し、その後、復旧処理をしてバックアップＳＣとして動作する。一方、バックアップＳＣは、ＳＣ−０の障害発生により、ＳＣ−０に切り替わって運用系として動作する。
【００５５】
この状態で、主制御装置（ＣＣ）３でＳＣ切替コマンドを実行し、ＳＣ−０およびバックアップＳＣの双方に、ＳＣ切替処理の指令が送信されると、ＳＣ−０（バックアップＳＣとして待機中）およびバックアップＳＣ（ＳＣ−０として運用中）がリブートし、ＳＣ−０が障害（故障）前のＳＣ−０（運用系）に切り戻り、バックアップＳＣが障害（故障）発生以前のバックアップＳＣ（待機系）に戻る。
【００５６】
次に、この発明に係る信号制御装置のＬＡＮポートの２重化について説明する。信号制御装置４を構成するＳＣ−０〜ＳＣ−７およびＳＣ−Ｎ（バックアップＳＣ）は、それぞれ運用系のＡ系ポートＰＨＹ０と、待機系のＢ系ポートＰＨＹ１の２系統のＬＡＮポートと、２系統のＬＡＮポートの切替えを制御するＣＰＵを備える。
【００５７】
Ａ系ポートＰＨＹ０は、ＬＡＮを介して２系統の回線（ネットワーク）５のＡ系ネットワークに接続し、Ｂ系ポートＰＨＹ１は、ＬＡＮを介して２系統の回線（ネットワーク）５のＢ系ネットワークに接続する。
【００５８】
Ａ系ネットワークには、ＧＷ（ゲートウェイ）７ａが接続され、Ｂ系ネットワークには、ＧＷ（ゲートウェイ）７ｂが接続される。
【００５９】
また、ＳＣ−０〜ＳＣ−７およびＳＣ−Ｎ（バックアップＳＣ）は、制御バスＢＵを介して主制御装置（ＣＣ）３と接続し、レイヤ１障害発生通知および障害復旧通知を主制御装置（ＣＣ）３に送信する。
【００６０】
信号制御装置４（例えば、ＳＣ−０）のＡ系ネットワークに接続されたＡ系ポートＰＨＹ０が障害を発生すると、ＣＰＵから主制御装置（ＣＣ）３に障害発生通知を送信するとともに、Ａ系ポートＰＨＹ０からＢ系ポートＰＨＹ１に切替えてＢ系ネットワークに接続して運用を継続する。
【００６１】
Ａ系ポートＰＨＹ０が動作（運用）中に、レイヤ１障害が発生すると、Ａ系ポートＰＨＹ０のＩＰアドレスおよびＭＡＣアドレスをＢ系ポートＰＨＹ１に引き継がせ、Ｂ系ポートＰＨＹ１に切替えて動作（運用）させ、Ｂ系ポートＰＨＹ１でＡ系ポートＰＨＹ０をバックアップする。
【００６２】
図７はこの発明に係る信号制御装置の一実施の形態ポート切替え説明図である。図７において、信号制御装置４は、ＳＣ−０〜ＳＣ−７およびＳＣ−Ｎ（バックアップＳＣ）で構成し、それぞれ回線（ネットワーク）５のＡ系ネットワークに接続するＡ系ポートＰＨＹ０（運用系）と、Ｂ系ネットワークに接続するＢ系ポートＰＨＹ１（待機系）を備える。
【００６３】
Ａ系ポートＰＨＹ０（運用系）が動作中に、レイヤ１障害を検出すると、ＣＰＵは、Ａ系ポートＰＨＹ０をＢ系ポートＰＨＹ１に切替え（実線表示→破線表示）て、運用系とし、Ｂ系ポートＰＨＹ１からＢ系ネットワークを介して該当する拠点Ａ〜拠点ＨのＩＰ端末Ｅｑｉの呼制御を実行する。
【００６４】
一方、Ａ系ポートＰＨＹ０のレイヤ１障害が復旧すると、ＣＰＵの制御により、Ｂ系ポートＰＨＹ１をＡ系ポートＰＨＹ０に切替え（破線表示→実線表示）て、運用系に切り戻すか、またはＢ系ポートＰＨＹ１を切り戻さずに運用系とし、Ａ系ポートＰＨＹ０を待機系とする。
【００６５】
図８はこの発明に係るＬＡＮポートの一実施の形態切替えシーケンス図である。図８において、Ａ系ポートＰＨＹ０で動作中にレイヤ１障害が発生すると、保守部からＡ系レイヤ１障害発生通知がＣＣＩ／Ｆに送信され、ＣＣＩ／Ｆは、Ｂ系リンクアップ状態であることを確認し、Ｂ系ポートＰＨＹ１への切替えの指示をパケットでＢ系ポートＰＨＹ１に送信する。
【００６６】
ＣＣＩ／Ｆからパケットを受信したＬＡＮポートは、Ａ系ポート（Ａ系ポートＰＨＹ０）からＢ系ポート（Ｂ系ポートＰＨＹ１）に切り替わり、Ｂ系ポートで運用動作する。
【００６７】
一方、Ｂ系ポートＰＨＹ１で動作中に、保守部からＡ系レイヤ１障害復旧通知がＣＣＩ／Ｆに送信されても、ＣＣＩ／Ｆは、Ａ系ポートＰＨＹ０の切り戻しを行わず、ＬＡＮポートは、Ｂ系ポートＰＨＹ１で運用動作を継続する。
【００６８】
図９はこの発明に係るＬＡＮポートの別実施の形態切替えシーケンス図である。図９において、Ａ系ポートＰＨＹ０でレイヤ１障害が発生し、ＬＡＮポートがＡ系ポート（Ａ系ポートＰＨＹ０）からＢ系ポート（Ｂ系ポートＰＨＹ１）に切り替わり、Ｂ系ポートで運用動作するまでは図８と同じである。
【００６９】
Ｂ系ポートＰＨＹ１で動作中に、保守部からＡ系レイヤ１障害復旧通知がＣＣＩ／Ｆに送信されると、ＣＣＩ／Ｆは、Ａ系ポートＰＨＹ０の切り戻しを行い、Ａ系ポートＰＨＹ０への切替えの指示をパケットでＡ系ポートＰＨＹ０に送信し、ＬＡＮポートは、Ｂ系ポート（Ｂ系ポートＰＨＹ１）からＡ系ポート（Ａ系ポートＰＨＹ０）に切り替わり（切り戻し）、Ａ系ポートで運用動作する。
【００７０】
続いて、この発明に係る拠点のバックアップ交換機について説明する。ＩＰ電話システムの各拠点には、拠点毎（図１に示す拠点Ａ１〜Ｈｎ）にバックアップ交換機６（図１に示すバックアップ交換機６Ａ１〜６Ｈｎ）を備える。
【００７１】
バックアップ交換機（Ｂ−ＴＭ）６は、ＩＰ交換機（ＴＭ）２や回線（ネットワーク）５に障害がない正常な運用状態では、後述するユニキャスト−マルチキャスト変換の動作を除いて、待機状態（待機系）にあり、それぞれ所属するＩＰ交換機２の信号制御装置（ＳＣ）４（ＳＣ−０〜ＳＣ−７）との間で疎通確認を行う。
【００７２】
また、バックアップ交換機（Ｂ−ＴＭ）６は、自身が属する拠点（例えば、拠点Ａ）に属する複数のＩＰ端末Ｅｑｉに対してもノーケア状態にある。
【００７３】
さらに、バックアップ交換機（Ｂ−ＴＭ）６は、ＩＰ交換機（ＴＭ）２の故障や回線（ネットワーク）５の障害の異常時には、待機状態（待機系）から運用状態（運用系）に切り替えて、拠点内のＩＰ端末Ｅｑｉの内線通話をバックアップする。
【００７４】
待機状態（待機系）から運用状態（運用系）への切替えは、ＩＰ交換機（ＴＭ）２の故障や回線（ネットワーク）５の障害の異常によってＩＰ交換機２（信号制御装置４）からの疎通確認ができない場合に実行する。
【００７５】
一方、運用状態（運用系）から待機状態（待機系）への復帰は、ＩＰ交換機（ＴＭ）２の故障や回線（ネットワーク）５の障害の異常が修復され、ＩＰ交換機２（信号制御装置４）からの疎通確認が再開された場合に実行する。
【００７６】
バックアップ交換機（Ｂ−ＴＭ）６は、ＩＰ交換機（ＴＭ）２の故障や回線（ネットワーク）５の障害の異常時になると、運用状態（運用系）になり、拠点内のＩＰ端末ＥｑｉからログインされるＩＰアドレスを受け付け、該当する拠点（例えば、拠点Ａ）内の全てのＩＰ端末Ｅｑｉ相互間の内線通話の呼制御を行う。
【００７７】
また、バックアップ交換機（Ｂ−ＴＭ）６は、ＩＰ交換機（ＴＭ）２の故障や回線（ネットワーク）５の障害が復旧すると、待機状態（待機系）に切り戻り、拠点（例えば、拠点Ａ）内の全てのＩＰ端末Ｅｑｉがログアウトすることになり、該当する拠点（例えば、拠点Ａ）内の全てのＩＰ端末Ｅｑｉ相互間の内線通話の呼制御を停止する。
【００７８】
拠点内の全てのＩＰ端末Ｅｑｉは、バックアップ交換機６が待機系にあるＩＰ交換機（ＴＭ）２や回線（ネットワーク）５の正常時には、ＩＰ交換機２（信号制御装置４）にＩＰアドレスを送信してログインし、ＩＰ交換機２（信号制御装置４）の制御によって通話を行う。
【００７９】
また、拠点内の全てのＩＰ端末Ｅｑｉは、バックアップ交換機６が運用系となるＩＰ交換機（ＴＭ）２や回線（ネットワーク）５の異常時には、ＩＰ交換機２（信号制御装置４）からログアウトし、バックアップ交換機６にＩＰアドレスを送信してログインし、バックアップ交換機６の制御によって拠点内の内線通話を行う。
【００８０】
さらに、拠点内の全てのＩＰ端末Ｅｑｉは、バックアップ交換機６が待機系に戻るＩＰ交換機（ＴＭ）２や回線（ネットワーク）５の異常からの復帰時には、バックアップ交換機６からログアウトし、ＩＰ交換機２（信号制御装置４）にＩＰアドレスを送信してログインし、ＩＰ交換機２（信号制御装置４）の制御によってシステム内の通話を行う。
【００８１】
また、ＩＰ端末Ｅｑｉは、ＩＰ交換機２（信号制御装置４）からのライフチェックを監視し、ライフチェックが無くてタイムオーバをすると、ＩＰ交換機２（信号制御装置４）からログアウトし、バックアップ交換機６にＩＰアドレスを送信してログインする。
【００８２】
さらに、ＩＰ端末Ｅｑｉは、バックアップ交換機６からのライフチェックを監視し、ライフチェックが無くてタイムオーバをすると、バックアップ交換機６からログアウトし、ＩＰ交換機２（信号制御装置４）にＩＰアドレスを送信してログインする。
【００８３】
図１０はこの発明に係るバックアップ交換機の一実施の形態動作概要図である。図１０において、拠点Ａ、拠点Ｂ、…、拠点Ｎのバックアップ交換機６（バックアップＴＭ）は、回線（ネットワーク）５を介してセンタのＩＰ交換機（ＴＭ）２に収容される。なお、拠点Ａ、拠点Ｂ、…、拠点Ｎ内には、それぞれ複数のＩＰ端末Ｅｑｉが存在する。
【００８４】
ＩＰ交換機（ＴＭ）２および回線（ネットワーク）５に障害のない正常時には、拠点Ａ、拠点Ｂ、…、拠点Ｎ内の全てのＩＰ端末ＥｑｉがＩＰ交換機（ＴＭ）２にＩＰアドレスを送信してログインして、ＩＰ交換機（ＴＭ）２の制御により、全てのＩＰ端末Ｅｑｉ相互間の通話を行う。
【００８５】
このシステム正常時から、第１のケースで、ＩＰ交換機（ＴＭ）２に故障が発生した場合には、拠点Ａ、拠点Ｂ、…、拠点Ｎ内の全てのバックアップ交換機６（バックアップＴＭ）が待機系から運用系に切り替わり、拠点Ａ、拠点Ｂ、…、拠点Ｎ内の全てのＩＰ端末ＥｑｉもＩＰ交換機（ＴＭ）２からログアウトし、それぞれ自拠点内のバックアップ交換機６（バックアップＴＭ）にＩＰアドレスを送信してログインし、バックアップ交換機６（バックアップＴＭ）の制御により、自拠点内の内線通話が可能になる。
【００８６】
また、システム正常時から、第２のケースで、拠点Ａが接続しているネットワークに障害が発生した場合には、拠点Ａのバックアップ交換機６（バックアップＴＭ）が待機系から運用系に切り替わり、拠点Ａの全てのＩＰ端末ＥｑｉがＩＰ交換機（ＴＭ）２からログアウトし、拠点Ａ内のバックアップ交換機６（バックアップＴＭ）にＩＰアドレスを送信してログインし、バックアップ交換機６（バックアップＴＭ）の制御により、拠点Ａ内の内線通話が可能になる。
【００８７】
一方、拠点Ｂ、…、拠点Ｎ内の全てのＩＰ端末Ｅｑｉは、ＩＰ交換機（ＴＭ）２の制御により、拠点Ｂ、…、拠点Ｎ内の全てのＩＰ端末Ｅｑｉ相互間で通話を行う。なお、ＩＰ交換機（ＴＭ）２およびネットワークに異常が同時に発生した場合には、第１のケースと同じ現象になる。
【００８８】
次に、この発明に係る拠点のバックアップ交換機のシーケンス動作について説明する。各拠点のバックアップ交換機６（バックアップＴＭ）は、待機状態から運用状態に切り替える動作シーケンスおよび運用状態から待機状態に切り戻す動作シーケンスを備える。
【００８９】
図１１はこの発明に係るバックアップ交換機の一実施の形態待機系から運用系への動作シーケンス図である。なお、動作シーケンスは、拠点Ａのバックアップ交換機６（バックアップＴＭ―Ａ）とＩＰ端末Ｅｑｉ（端末Ａ）、センタのＩＰ交換機（ＴＭ）２、および拠点Ｂのバックアップ交換機６（バックアップＴＭ―Ｂ）とＩＰ端末Ｅｑｉ（端末Ｂ）の相互間について説明する。
【００９０】
センタのＴＭならびにネットワークが正常な場合、拠点Ａの端末Ａおよび拠点Ｂの端末Ｂは、それぞれセンタの「ＴＭログイン運用中」であり、端末Ａおよび端末Ｂは、ＴＭとの間で「呼制御メッセージ」（ダイヤル発信、転送、着信など）を遣り取りし、ＴＭからの「ライフチェック」を監視し、ＴＭに「ライフチェック応答」を送信する。
【００９１】
一方、拠点ＡのバックアップＴＭ―Ａおよび拠点ＢのバックアップＴＭ―Ｂは、「待機系で動作中」であり、「動作可通知（予備系表示）」をＴＭに送信し、ＴＭから「動作可通知（運用系表示）」を受信することにより、拠点ＡのバックアップＴＭ―ＡとＴＭ相互間および拠点ＢのバックアップＴＭ―ＢとＴＭ相互間の疎通確認を実行している。
【００９２】
この状態から、ＴＭと拠点Ｂを接続する中継ネットワーク（ネットワーク）に障害が発生すると、拠点ＢのバックアップＴＭ―Ｂは、センタのＴＭから「動作可通知（運用系表示）」を受信できなくなって、「ＴＭの疎通断検出」することになるので、「運用系動作へ切替」を実行する。
【００９３】
一方、拠点Ｂの端末Ｂは、センタのＴＭからの「ライフチェック」を受信できなくなり、「ライフチェックタイムアウト検出」をして「ＴＭからログアウト」した後、「バックアップＴＭ―Ｂをログイン先」として「ログイン」することにより、拠点ＢのバックアップＴＭ―Ｂは、「端末Ｂのログイン」を受け付ける。
【００９４】
この時点で、センタのＴＭは、「端末ＢライフチェックＮＧ」を検出し、「端末Ｂログアウト」を認識する。
【００９５】
運用系になったＢ拠点のバックアップＴＭ―Ｂが「端末Ｂのログイン」を受け付けると、端末Ｂは、「バックアップＴＭ―Ｂにログイン運用中」となり、バックアップＴＭ―Ｂとの間で、「呼制御メッセージ」（ダイヤル発信、転送、着信など）を遣り取りし、拠点Ｂ内の内線通話が可能になる。
【００９６】
その後、端末Ｂは、バックアップＴＭ―Ｂからの「ライフチェック」を監視し、バックアップＴＭ―Ｂに「ライフチェック応答」を送信する。
【００９７】
一方、中継ネットワーク（ネットワーク）に障害がない拠点ＡのバックアップＴＭ―Ａおよび端末Ａは、バックアップＴＭ―Ａが待機系で動作、端末ＡがＴＭにログインして運転中となる。
【００９８】
このように、この発明に係るバックアップ交換機６（バックアップＴＭ−Ｂ）は、待機状態にＩＰ交換機（ＴＭ）２との疎通確認を行い、ＩＰ交換機（ＴＭ）２から疎通確認ができない場合には、運用状態に切り替える動作シーケンスを備えたので、センタのＩＰ交換機（ＴＭ）２の故障および回線（ネットワーク）５の障害が発生すると、待機状態から運用状態に切替え、拠点Ｂ内のＩＰ端末（端末Ｂ）の内線通話をバックアップすることができ、拠点内のＩＰ端末の内線通話サービスを確保することができる。
【００９９】
また、この発明に係るバックアップ交換機６（バックアップＴＭ−Ｂ）は、運用状態で、該当する拠点（拠点Ｂ）内のＩＰ端末Ｅｑｉ（端末Ｂ）からのログインを受け付け、拠点内のＩＰ端末相互間の通話を可能にする動作シーケンスを備えたので、センタのＩＰ交換機（ＴＭ）２の故障ならびに回線（ネットワーク）５の障害という最悪なケースでも、拠点内の内線通話サービスを提供することができ、利便性をアピールすることができる。
【０１００】
図１２はこの発明に係るバックアップ交換機の一実施の形態運用系から待機系への動作シーケンス図である。なお、動作シーケンスは、図１１と同様に、拠点Ａのバックアップ交換機６（バックアップＴＭ―Ａ）とＩＰ端末Ｅｑｉ（端末Ａ）、センタのＩＰ交換機（ＴＭ）２、および拠点Ｂのバックアップ交換機６（バックアップＴＭ―Ｂ）とＩＰ端末Ｅｑｉ（端末Ｂ）の相互間について説明する。
【０１０１】
また、拠点Ａのバックアップ交換機６（バックアップＴＭ―Ａ）とＩＰ端末Ｅｑｉ（端末Ａ）は、拠点ＡとセンタのＩＰ交換機（ＴＭ）２を接続する中継ネットワーク（ネットワーク）に障害が発生してないので、図１１と同じ動作シーケンスであり、拠点Ｂのバックアップ交換機６（バックアップＴＭ―Ｂ）とＩＰ端末Ｅｑｉ（端末Ｂ）、センタのＩＰ交換機（ＴＭ）２の相互間について説明する。
【０１０２】
ＴＭと拠点Ｂを接続する中継ネットワーク（ネットワーク）に障害が発生しているので、バックアップＴＭ―Ｂは、「運用系で動作中」であり、端末Ｂは、「バックアップＴＭ−Ｂにログイン運転中」である。
【０１０３】
端末Ｂは、バックアップＴＭ―Ｂとの間で「呼制御メッセージ」（ダイヤル発信、転送、着信など）を遣り取りし、バックアップＴＭ―Ｂからの「ライフチェック」を監視し、バックアップＴＭ―Ｂに「ライフチェック応答」を送信する。
【０１０４】
この状態から、ＴＭと拠点Ｂを接続する中継ネットワーク（ネットワーク）の障害が復旧すると、拠点ＢのバックアップＴＭ―Ｂは、ＴＭから「動作可通知（運用系表示）」を受信し、ＴＭに「動作可通知（運用系表示）」を送信することにより、拠点ＢのバックアップＴＭ―ＢとＴＭ相互間の疎通確認が再開することになり、「ＴＭ疎通復旧検出」をすることになる。
【０１０５】
続いて、拠点ＢのバックアップＴＭ―Ｂは、「予備系動作へ切替」に切り戻り、「ログイン端末（端末Ｂ）の通信停止」を実行する。
【０１０６】
その後、拠点ＢのバックアップＴＭ―Ｂは、ＴＭから「動作可通知（運用系表示）」を受信し、ＴＭに「動作可通知（予備系表示）」を送信することを繰り返す。
【０１０７】
一方、端末Ｂは、バックアップＴＭ―Ｂが予備系に切り戻ると、バックアップＴＭ―Ｂからのライフチェックが受信できなく、「ライフチェックタイムアウト検出」をすると、「バックアップＴＭ―Ｂからログアウト」し、「ＴＭをログイン先とする」ことになって、ＴＭに「ログイン」して、「ＴＭにログイン運転中」となる。この状態で拠点Ｂの端末Ｂは、システム内での通話が可能になる。
【０１０８】
ＴＭは、端末Ｂからのログインを受け付けると、「ライフチェック」を端末Ｂに送信し、端末Ｂから「ライフチェック応答」を受信して、正常を確認し、端末Ｂとの間で「呼制御メッセージ」（ダイヤル発信、転送、着信など）を遣り取り、端末Ｂの通話を制御する。
【０１０９】
一方、バックアップＴＭ―Ｂは、ＴＭから「動作可通知（運用系表示）」を受信し、ＴＭに「動作可通知（待機系表示）」を送信することにより、ＴＭとの間の疎通確認を実行する。
【０１１０】
このように、この発明に係るバックアップ交換機６（バックアップＴＭ−Ｂ）は、運用状態にＩＰ交換機（ＴＭ）２から疎通確認が再開した場合には、待機状態に切り替える動作シーケンスを備えたので、センタのＩＰ交換機（ＴＭ）２の故障ならびに回線（ネットワーク）５の障害が復旧すると、待機状態に戻ることができ、システムのサービスを可能にすることができる。
【０１１１】
また、この発明に係るＩＰ端末Ｅｑｉ（端末Ｂ）は、ＩＰ交換機（ＴＭ）２またはバックアップ交換機６（バックアップＴＭ−Ｂ）からのライフチェックを監視し、ライフチェックのタイムアウトを検出してＩＰ交換機（ＴＭ）２またはバックアップ交換機６（バックアップＴＭ−Ｂ）からログアウトした後、バックアップ交換機６（バックアップＴＭ−Ｂ）またはＩＰ交換機（ＴＭ）２にログインする動作シーケンスを備えたので、システム環境に応じてＩＰ交換機またはバックアップ交換機に接続することができ、システム内の通話または拠点内の内線通話を提供することができる。
【０１１２】
続いて、ＩＰ電話システムの共通メッセージ通信の中継方式について説明する。本発明のＩＰ電話システム１は、拠点毎に設置するＩＰ端末Ｅｑｉに、多くの台数（例えば、システム全体で１６０００台）を想定し、ＩＰ交換機２からランプ情報などの共通メッセージを拠点のＩＰ端末に送信する際に、ＩＰ交換機（ＴＭ）２から共通メッセージを送信する拠点を指定し、共通メッセージをユニキャストメッセージで拠点に送信し、拠点内でユニキャストメッセージをマルチキャストメッセージに変換して、全てのＩＰ端末Ｅｑｉにマルチキャストメッセージを送信するものである。
【０１１３】
図１３はこの発明に係る共通メッセージ通信の一実施の形態中継方式図である。なお、共通メッセージをマルチキャストメッセージ（実線表示）で送信する状態も参照として表わす。図１３において、共通メッセージは、ＩＰ交換機（ＴＭ）２の主制御装置（ＣＣ）３→ＩＰ交換機（ＴＭ）２の信号制御装置４（ＳＣ−０〜ＳＣ−７）→回線（ネットワーク）５→各拠点の経路で拠点内のＩＰ端末Ｅｑｉに送信される。
【０１１４】
初めに、共通メッセージをマルチキャストメッセージ（実線表示）で全拠点（システムの全てのＩＰ端末Ｅｑｉ）に送信する場合、主制御装置（ＣＣ）３から信号制御装置４（ＳＣ−０〜ＳＣ−７）に対して、マルチキャストメッセージを送信し、信号制御装置４（ＳＣ−０〜ＳＣ−７）からも回線（ネットワーク）５を介して全ての拠点に対して、マルチキャストメッセージを送信し、全ての拠点から全てのＩＰ端末Ｅｑｉ（図示せず）に対して、マルチキャストメッセージを送信することになる。
【０１１５】
次に、共通メッセージをユニキャストメッセージ（破線表示）で指定された拠点の全てのＩＰ端末Ｅｑｉに送信する場合には、主制御装置（ＣＣ）３から信号制御装置４（例えば、ＳＣ−０およびＳＣ−７）に対して、送信先（拠点）を指定したユニキャストメッセージを選択的に送信し、ＳＣ−０およびＳＣ−７から回線（ネットワーク）５を介して指定した拠点１〜拠点３（ＳＣ−０の制御拠点）、拠点ｎ〜拠点ｎ＋２（ＳＣ−７の制御拠点）に対して、ユニキャストメッセージを送信する。拠点１〜拠点３、拠点ｎ〜拠点ｎ＋２では、ユニキャストメッセージをマルチキャストメッセージに変換し、変換したマルチキャストメッセージをそれぞれ拠点１〜拠点３、拠点ｎ〜拠点ｎ＋２内の全てのＩＰ端末Ｅｑｉ（図示せず）に対して送信する。
【０１１６】
送信先（拠点）を指定したユニキャストメッセージは、主制御装置（ＣＣ）３が送信先を記載したビットマップに基づいて設定する。
【０１１７】
また、拠点が指定されるので、回線（ネットワーク）５を伝送されるユニキャストメッセージのデータ量を少なくすることができる。
【０１１８】
ユニキャストメッセージからマルチキャストメッセージへの変換は、拠点内に設けたバックアップ交換機６（マルチキャスト変換装置＝バックアップＴＭ）およびＩＰ−ＣＯＮＶ（ＩＰコンバータ）８がマルチキャスト変換処理し、バックアップ交換機６（マルチキャスト変換装置＝バックアップＴＭ）または、ＩＰ−ＣＯＮＶ（ＩＰコンバータ）８からマルチキャストメッセージを該当する拠点内の全てのＩＰ端末Ｅｑｉに送信する。
【０１１９】
バックアップ交換機６（マルチキャスト変換装置＝バックアップＴＭ）は、２重化された回線（ネットワーク）５の運用系（Ａ系）に接続し、拠点が収容される信号制御装置４（ＳＣ−０〜ＳＣ−７）から送信されてくるユニキャストメッセージを受信し、ユニキャストメッセージをマルチキャストメッセージに変換して拠点内のＩＰ端末Ｅｑｉに送信する。なお、バックアップ交換機６は、運用系（Ａ系）の回線が運用中の時には、待機系になっており、待機系にある時にのみ、ユニキャスト−マルチキャスト変換を行うマルチキャスト変換装置として動作する。
【０１２０】
また、バックアップ交換機６（マルチキャスト変換装置＝バックアップＴＭ）は、運用系（Ａ系）の回線（ネットワーク）５を介して自装置が収容されるＩＰ交換機（ＴＭ）２の信号制御装置４（ＳＣ−０〜ＳＣ−７）との間で、疎通確認を行う。
【０１２１】
ＩＰ−ＣＯＮＶ（ＩＰコンバータ）８は、２重化された回線（ネットワーク）５の待機系（Ｂ系）に接続し、バックアップ交換機６（マルチキャスト変換装置＝バックアップＴＭ）が故障の場合または回線（ネットワーク）５の運用系（Ａ系）の障害の場合に、バックアップ交換機６をバックアップし、拠点が収容される信号制御装置４（ＳＣ−０〜ＳＣ−７）から送信されてくるユニキャストメッセージを受信し、ユニキャストメッセージをマルチキャストメッセージに変換して拠点内のＩＰ端末Ｅｑｉに送信する。
【０１２２】
また、ＩＰ−ＣＯＮＶ（ＩＰコンバータ）８は、待機系（Ｂ系）の回線（ネットワーク）５を介して自装置が収容されるＩＰ交換機（ＴＭ）２の信号制御装置４（ＳＣ−０〜ＳＣ−７）との間で、疎通確認を行う。
【０１２３】
図１４はこの発明に係るマルチキャスト変換装置（バックアップ交換機）の実施の形態ユニキャスト−マルチキャスト変換説明図である。図１４において、拠点Ａおよび拠点Ｈのマルチキャスト変換装置（バックアップ交換機）６は、それぞれＩＰ交換機（ＴＭ）２から回線（ネットワークの運用系）５を介してランプ情報などの共通メッセージをユニキャストメッセージ（破線表示）で受信して、ユニキャストメッセージにマルチキャストメッセージ変換処理を施し、変換したマルチキャストメッセージ（実線表示）をそれぞれ拠点内（拠点Ａ、拠点Ｎ）の全てのＩＰ端末Ｅｑｉに提供する。
【０１２４】
図１５はこの発明に係るＩＰコンバータの一実施の形態拠点マルチキャスト運用バックアップ説明図である。図１５において、拠点Ａ内では、マルチキャスト変換装置６が回線（ネットワーク）５の運用系（Ａ系）に接続され、ＩＰ交換機（ＴＭ）２から共通メッセージをユニキャストメッセージ（破線表示）で受信し、マルチキャストメッセージ（実線表示）で拠点Ａ内の全てのＩＰ端末Ｅｑｉに提供している。
【０１２５】
一方、ＩＰ−ＣＯＮＶ（ＩＰコンバータ）８は、回線（ネットワーク）５の運用系（Ｂ系）に接続され、運用状態にあるが、ＩＰ交換機（ＴＭ）２から運用系（Ｂ系）回線を介してユニキャストメッセージが送信されないため動作停止の状態にある。
【０１２６】
この状態から、マルチキャスト変換装置６に故障が発生してユニキャスト−マルチキャスト変換ができなくなると、ＩＰ交換機（ＴＭ）２は、マルチキャスト変換装置６からの疎通確認ができなくなるので、マルチキャスト変換装置６の故障を検出し、回線（ネットワーク）５の待機系（Ｂ系）を運用系とし、待機系（Ｂ系）を介してユニキャストメッセージ（破線表示）をＩＰ−ＣＯＮＶ（ＩＰコンバータ）８に送信する。
【０１２７】
ＩＰ−ＣＯＮＶ（ＩＰコンバータ）８は、回線（ネットワーク）５の待機系（Ｂ系）を介してユニキャストメッセージ（破線表示）を受信すると、ユニキャストメッセージ（破線表示）にマルチキャストメッセージ変換処理を施し、変換したマルチキャストメッセージ（実線表示）を拠点Ａ内の全てのＩＰ端末Ｅｑｉに提供する。
【０１２８】
回線（ネットワーク）５の運用系（Ａ系）および待機系（Ｂ系）の２重化、マルチキャスト変換装置６およびＩＰ−ＣＯＮＶ（ＩＰコンバータ）８のユニキャスト−マルチキャスト変換装置の２重化構成により、拠点内のマルチキャストメッセージ運用を確保することができる。なお、図１５では、拠点Ａについて説明したが、図１に示す拠点Ａ１〜拠点Ｈｎの全ての拠点についても同様である。
【０１２９】
次に、共通メッセージ通信におけるマルチキャスト変換装置からＩＰ−ＣＯＮＶ（ＩＰコンバータ）への切替え動作およびＩＰ−ＣＯＮＶ（ＩＰコンバータ）からマルチキャスト変換装置への切戻し動作について説明する。なお、ＩＰ交換機２、マルチキャスト変換装置およびＩＰ−ＣＯＮＶ（ＩＰコンバータ）８を、ＴＭ、Ｂ−ＴＭおよびＩＰ−ＣＯＮＶで表わす。
【０１３０】
図１６はこの発明に係る共通メッセージ通信の一実施の形態動作フロー図である。図１６において、ＴＭは、Ｂ−ＴＭに対して「疎通監視」を送出するが、Ｂ−ＴＭからの「疎通監視（ＳＴＢ）」が検出できなく、「Ｂ−ＴＭ疎通監視ＮＧ」を検出する。Ｂ−ＴＭは、疎通ＮＧ検出でＳＴＢ（待機状態）からＡＣＴ（運用状態）に移行し、マルチキャスト変換動作を停止する。
【０１３１】
よって、ＴＭは、Ｂ−ＴＭからＩＰ−ＣＯＮＶに切り替えてユニキャストメッセージを送出することになる。また、ＩＰ−ＣＯＮＶからＢ−ＴＭへの切り戻しは、手動コマンドで実施し、この手動切り戻しコマンドにリンクし、ＴＭからのユニキャストメッセージ送出もＢ−ＴＭに切り戻すことになる。
【０１３２】
ＴＭは、ＩＰ−ＣＯＮＶに対して、「ユニキャストメッセージ（１）」を送信し、ＩＰ−ＣＯＮＶからの「ＡＣＫ」を確認する。
【０１３３】
続いて、ＴＭは、ＩＰ−ＣＯＮＶに対して、「ユニキャストメッセージ（２）」を送信し、ＩＰ−ＣＯＮＶからの「ＡＣＫ」を確認する。ただし、ＩＰ−ＣＯＮＶからも、ＡＣＫ再送ＮＧの場合には、ＴＭは、ログ採取のみを行う。
【０１３４】
続いて、ＴＭは、Ｂ−ＴＭに対して、「疎通監視」を送出し、Ｂ−ＴＭからの「疎通監視（ＡＣＴ）」を検出することにより、Ｂ−ＴＭの疎通監視フレームに、ＡＣＴ／ＳＴＢ状態が入っており、Ｂ−ＴＭの状態を認識する。
【０１３５】
Ｂ−ＴＭは、ＡＣＴ状態でユニキャストメッセージを受信した場合には、マルチキャスト変換を行わない。
【０１３６】
ＴＭが手動切替コマンドで、Ｂ−ＴＭに「切替要求」をすると、Ｂ−ＴＭから「応答」があり、Ｂ−ＴＭは、ＡＣＴ状態からＳＴＢ状態になって復旧し、ＴＭに対して「疎通監視（ＳＴＢ）」を送出する。
【０１３７】
ＴＭは、Ｂ−ＴＭから「疎通監視（ＳＴＢ）」を検出すると、Ｂ−ＴＭに対して、「ユニキャストメッセージ（３）」を送信し、Ｂ−ＴＭから「ＡＣＴ」を受信する。この時点で、ＩＰ−ＣＯＮＶは、マルチキャスト変換動作を停止する。
【０１３８】
図１７はこの発明に係る共通メッセージ通信の別実施の形態動作フロー図である。図１７において、ＴＭからＢ−ＴＭへの疎通監視がなくなると、Ｂ−ＴＭは、「疎通監視ＮＧ」を検出し、ＳＴＢ（待機状態）からＡＣＴ（運用状態）に移行し、マルチキャスト変換動作を停止する。
【０１３９】
ＴＭは、Ｂ−ＴＭの疎通ＮＧが検出できずにユニキャストメッセージをＢ−ＴＭに送信した場合には、ＡＣＫ再送ＮＧで、ＩＰ−ＣＯＮＶに切り替えてユニキャストメッセージを送出することになる。
【０１４０】
ＴＭは、Ｂ−ＴＭからの疎通監視がＮＧになっても、Ｂ−ＴＭに対して「ユニキャストメッセージ（１）」を送信するが、Ｂ−ＴＭからの「ＡＣＫ」が確認できないので、「ユニキャストメッセージ（１）」をＩＰ−ＣＯＮＶに送信し、ＩＰ−ＣＯＮＶからの「ＡＣＫ」を確認することができ、Ｂ−ＴＭからＩＰ−ＣＯＮＶに切り替わって、ＩＰ−ＣＯＮＶから拠点内のＩＰ端末Ｅｑｉにマルチキャストメッセージを提供することになる。
【０１４１】
続いて、ＴＭは、Ｂ−ＴＭに対して「マルチキャストメッセージ（２）」を送信するか、Ｂ−ＴＭが故障から復旧していなく、Ｂ−ＴＭからの「ＡＣＫ」が確認できないので、「ユニキャストメッセージ（２）」をＩＰ−ＣＯＮＶに送信し、ＩＰ−ＣＯＮＶからの「ＡＣＫ」を確認する。
【０１４２】
この時点でも、ＴＭは、Ｂ−ＴＭからの「疎通監視（ＳＴＢ）」を確認することができず、Ｂ−ＴＭ疎通監視ＮＧを検出することになる。
【０１４３】
これ以降、ＴＭの疎通監視ＮＧの動作は、図１６に示す動作フローと同じになる。
【産業上の利用可能性】
【０１４４】
本発明に係るＩＰ電話システムは、ＩＰ交換機の主制御装置を２重化し、信号制御装置をＮ＋１冗長化して、回線を２重化し、各拠点にバックアップ交換機を設けることにより、装置の故障や回線の障害に対して、システムをバックアップことができ、あらゆるＩＰ電話システムに適用することができる。
【図面の簡単な説明】
【０１４５】
【図１】この発明に係るIＰ電話システムの一実施の形態ブロック構成図
【図２】この発明に係る主制御装置と信号制御装置の実施の形態接続図
【図３】この発明に係る信号制御装置の切替えの一実施の形態説明図
【図４】この発明に係る信号制御装置の一実施の形態疎通確認動作シーケンス図
【図５】この発明に係る信号制御装置の別実施の形態疎通確認動作シーケンス図
【図６】この発明に係る信号制御装置の一実施の形態切替動作シーケンス図
【図７】この発明に係る信号制御装置の一実施の形態ポート切替え説明図
【図８】この発明に係るＬＡＮポートの一実施の形態切替えシーケンス図
【図９】この発明に係るＬＡＮポートの別実施の形態切替えシーケンス図
【図１０】この発明に係るバックアップ交換機の一実施の形態動作概要図
【図１１】この発明に係るバックアップ交換機の一実施の形態待機系から運用系への動作シーケンス図
【図１２】この発明に係るバックアップ交換機の一実施の形態運用系から待機系への動作シーケンス図
【図１３】この発明に係る共通メッセージ通信の一実施の形態中継方式図
【図１４】この発明に係るマルチキャスト変換装置（バックアップ交換機）の実施の形態ユニキャスト−マルチキャスト変換説明図
【図１５】この発明に係るＩＰコンバータの一実施の形態拠点マルチキャスト運用バックアップ説明図
【図１６】この発明に係る共通メッセージ通信の一実施の形態動作フロー図
【図１７】この発明に係る共通メッセージ通信の別実施の形態動作フロー図
【符号の説明】
【０１４６】
１    ＩＰ電話システム
２    ＩＰ交換機（ＴＭ）
３    主制御装置（ＣＣ）
３ａ    主制御装置（ＡＣＴ系）
３ｂ    主制御装置（ＳＢＹ系）
４    信号制御装置（ＳＣ−０〜ＳＣ−７）
５    回線（ネットワーク）
５ａ    Ａ系ネットワーク
５ｂ    Ｂ系ネットワーク
６    バックアップ交換機（Ｂ−ＴＭ）
７ａ，７ｂ    ゲートウェイ（ＧＷ）
８    ＩＰ−ＣＯＮＶ（ＩＰコンバータ）
ＳＣーＮ    予備の信号制御装置（バックアップＳＣ）
ＢＵ，ＢＵ―ａ，ＢＵ―ｂ    制御バス
ＰＨＹ０    Ａ系ポート
ＰＨＹ１    Ｂ系ポート
Ｅｑｉ    ＩＰ端末
【図１】
2006254108.tif 000003
【図２】
2006254108.tif 000004
【図３】
2006254108.tif 000005
【図４】
2006254108.tif 000006
【図５】
2006254108.tif 000007
【図６】
2006254108.tif 000008
【図７】
2006254108.tif 000009
【図８】
2006254108.tif 000010
【図９】
2006254108.tif 000011
【図１０】
2006254108.tif 000012
【図１１】
2006254108.tif 000013
【図１２】
2006254108.tif 000014
【図１３】
2006254108.tif 000015
【図１４】
2006254108.tif 000016
【図１５】
2006254108.tif 000017
【図１６】
2006254108.tif 000018
【図１７】
2006254108.tif 000019